(57)【要約】【課題】研磨が容易で、あるいは研磨が不要で、かつ、安全な切断器具を提供する。【解決手段】  切断対象を切断する作用部３を備える切断器具であって、作用部３は、本体部４と本体部４より肉厚が薄い肉薄部５を有し、肉薄部５は、幅が２．５ｍｍ〜２０ｍｍであり、肉厚が０．１ｍｍ〜０．５ｍｍであるように構成した。【選択図】図２
2020065873.tif 000002
【特許請求の範囲】
【請求項１】
切断対象を切断する作用部を備える切断器具であって、
前記作用部は、本体部と、前記本体部より肉厚が薄い肉薄部とを有し、
前記肉薄部は、幅が２．５ｍｍ〜２０ｍｍであり、肉厚が０．１ｍｍ〜０．５ｍｍであることを特徴とする切断器具。
【請求項２】
切断対象を切断する作用部を備える切断器具であって、
前記作用部は、本体部と、前記本体部より肉厚が薄い中間部と、前記中間部より肉厚が薄い肉薄部とを有し、
前記中間部は肉厚が０．３ｍｍ〜０．７ｍｍであり、
前記肉薄部は肉厚が０．１ｍｍ〜０．３ｍｍであり、幅が２．５ｍｍ〜１０ｍｍであることを特徴とする切断器具。
【請求項３】
請求項１または２のいずれかに記載の切断器具であって、前記肉薄部は、前記本体部の板厚方向の略中心に設けられていることを特徴とする切断器具。
【請求項４】
請求項１〜３のいずれか一項に記載の切断器具であって、
前記肉薄部の長さ方向の少なくとも一部の切断対象を切断する側の端部に波刃または三角刃が設けられていることを特徴とする切断器具。
【請求項５】
請求項１〜３のいずれか一項に記載の切断器具であって、
前記肉薄部の端には、刃が設けられていない、ことを特徴とする切断器具。
【請求項６】
請求項１〜５のいずれか一項に記載の切断器具であって、
前記肉薄部を形成する芯材の少なくとも一つの側に、前記芯材の端部が前記肉薄部として突出するように他の板材を少なくとも一層重ねて固着させたことを特徴とする切断器具。
【請求項７】
請求項６に記載の切断器具であって、
前記肉薄部の芯材と前記他の板材を圧延して固着したことを特徴とする切断器具。
【請求項８】
請求項６に記載の切断器具であって、
前記肉薄部の芯材と前記他の板材を溶着または溶接または接着によって固着したことを特徴とする切断器具。
【請求項９】
請求項６〜８のいずれか一項に記載の切断器具であって、
前記肉薄部の芯材に積層した前記他の板材の端部を切削して波模様を呈するようにしたことを特徴とする切断器具。
【請求項１０】
請求項１〜９のいずれか一項に記載の切断器具であって、
前記肉薄部の切断対象を切断する側の端部の横断面を概略尖端形状に形成したことを特徴とする切断器具。
【請求項１１】
請求項１〜９のいずれか一項に記載の切断器具であって、
前記肉薄部の切断対象を切断する側の端部の横断面を概略矩形に形成したことを特徴とする切断器具。
【請求項１２】
切断器具の作用部となる板材の端部を、肉厚０．１ｍｍ〜０．５ｍｍ、幅２．５ｍｍ〜２０ｍｍの肉薄部となるように切削する工程と、
前記肉薄部の切断対象を切断する側の端部の横断面を概略尖端形状または概略矩形に形成する工程を有することを特徴とする切断器具の製造方法。
【請求項１３】
肉薄部を形成する芯材の少なくとも一つの側に、前記芯材の端部が前記肉薄部として突出するように他の板材を少なくとも一層重ねる工程と、
前記肉薄部の芯材と前記他の板材を固着する工程を有することを特徴とする切断器具の製造方法。
【請求項１４】
請求項１〜１１のいずれか一項に記載の切断器具であって、
包丁、ナイフ、ピーラー、スライサー、または野菜加工用切断器具であることを特徴とする切断器具。
【発明の詳細な説明】
【技術分野】
【０００１】
本発明は、切断器具及びその製造方法に関する。
【背景技術】
【０００２】
従来から、蛤刃（ハマグリ刃）と呼ばれている刃が広く使用されている。ハマグリ刃は、刃の長さ方向に直角な刃先の横断面形状が、先端（刃先）の両側で緩やかな円弧になっているものであった。
【０００３】
特許文献１は、鋭利で研ぎやすいことを目的とした刃の形状を提案している。特許文献１は、刃先（刃の先端）よりしのぎ（本体の厚くなっている部分）に至る平面の中間位置に凹面を設けた刃を提案している。
【先行技術文献】
【特許文献】
【０００４】
【特許文献１】特開昭５５−１１３４８５号公報
【発明の概要】
【発明が解決しようとする課題】
【０００５】
特許文献１は、鋭角な刃先からしのぎに至る面の幅が大きいことに着目したものである。刃先からしのぎに至る面が幅広いと、平行に研ぐのが困難になる。そこで、この面に凹面を設けて平行に研ぐ面の幅を狭くしている。
【０００６】
しかし、特許文献１の刃はそもそも刃先が極めて鋭角になっており、研磨するのが困難であった。また、刃先が極めて鋭角になっているため、刃こぼれがし易かった。
【０００７】
一方、ハマグリ刃も鈍化した形状から本来の形状を研ぎ出すのが困難であった。また、ハマグリ刃は、研磨で切削する部分が多く、研磨するための手間がかかっていた。
【０００８】
そこで、本発明は、上記の問題を鑑み、研磨が容易で、あるいは研磨が不要で、かつ、安全な切断器具を提供することを目的とする。
【課題を解決するための手段】
【０００９】
本発明は、たとえば、
切断対象を切断する作用部を備える切断器具であって、
前記作用部は、本体部と前記本体部より肉厚が薄い肉薄部を有し、
前記肉薄部は、幅が２．５ｍｍ〜２０ｍｍであり、肉厚が０．１ｍｍ〜０．５ｍｍであることを特徴とする。
【００１０】
また、本発明は、たとえば、切断対象を切断する作用部を備える切断器具であって、
前記作用部は、本体部と、前記本体部より肉厚が薄い中間部と、前記中間部より肉厚が薄い肉薄部とを有し、
前記中間部は肉厚が０．３ｍｍ〜０．７ｍｍであり、
前記肉薄部は肉厚が０．１ｍｍ〜０．３ｍｍであり、幅が２．５ｍｍ〜１０ｍｍであることを特徴とする。
【００１１】
前記肉薄部は、前記本体部の板厚方向の略中心に設けられているようにしてもよい。
【００１２】
前記肉薄部の長さ方向の少なくとも一部の切断対象を切断する側の端部に波刃または三角刃が設けられているようにしてもよい。
【００１３】
前記肉薄部の端には、刃が設けられていないようにしてもよい。
【００１４】
前記肉薄部を形成する芯材の少なくとも一つの側に、前記芯材の端部が前記肉薄部として突出するように他の板材を少なくとも一層重ねて固着させるようにしてもよい。
【００１５】
前記肉薄部の芯材と前記他の板材を圧延して固着するようにしてもよい。
【００１６】
前記肉薄部の芯材と前記他の板材を溶着または溶接または接着によって固着するようにしてもよい。
【００１７】
前記肉薄部の芯材に積層した前記他の板材の端部を切削して波模様を呈するようにしてもよい。
【００１８】
前記肉薄部の切断対象を切断する側の端部の横断面を概略尖端形状に形成するようにしてもよい。
【００１９】
前記肉薄部の切断対象を切断する側の端部の横断面を概略矩形に形成するようにしてもよい。
【００２０】
本発明による切断器具の製造方法は、
切断器具の作用部となる板材の端部を、肉厚０．１ｍｍ〜０．５ｍｍ、幅２．５ｍｍ〜２０ｍｍの肉薄部となるように切削する工程と、
前記肉薄部の切断対象を切断する側の端部の横断面を概略尖端形状または概略矩形に形成する工程を有することを特徴とする。
【００２１】
本発明による他の切断器具の製造方法は、
肉薄部を形成する芯材の少なくとも一つの側に、前記芯材の端部が前記肉薄部として突出するように他の板材を少なくとも一層重ねる工程と、
前記肉薄部の芯材と前記他の板材を固着する工程を有することを特徴とする。
【００２２】
本発明による切断器具は、包丁、ナイフ、ピーラー、スライサー、または野菜加工用切断器具であることを特徴とする。
【発明の効果】
【００２３】
本発明によれば、研磨が容易で、あるいは研磨が不要で、かつ、安全な切断器具を提供することができる。
【図面の簡単な説明】
【００２４】
【図１】本発明の切断器具の一例としての包丁の平面図と側面図である。
【図２】本発明の一実施形態による切断器具の作用部の横断面図である。
【図３】本発明の第二の実施形態による切断器具の作用部の横断面図である。
【図４】従来のハマグリ刃の横断面と本発明の一実施形態による切断器具の作用部の横断面を比較して示した説明図である。
【図５】従来のハマグリ刃による切断と本発明の一実施形態の切断器具の作用部による切断を比較して示した説明図である。
【図６】従来のハマグリ刃の研磨を示した説明図である。
【図７】本発明の一実施形態による切断器具の作用部の研磨を示した説明図である。
【図８】本発明の一実施形態による切断器具である包丁の側面図である。
【図９】本発明の一実施形態による切断器具である包丁の側面図である。
【図１０】本発明の一実施形態による切断器具の作用部の製作または研磨の一工程を示した説明図である。
【図１１】本発明の一実施形態による切断器具の作用部の製作または研磨の一工程を示した説明図である。
【図１２】本発明の一実施形態による切断器具の作用部の製作または研磨の一工程を示した説明図である。
【図１３】本発明の第三の実施形態による切断器具の作用部の横断面図である。
【図１４】本発明の第三の実施形態による切断器具の作用部の製造方法を示した説明図である。
【図１５】本発明の第三の実施形態による切断器具の作用部の他の製造方法を示した説明図である。
【図１６】本発明の第三の実施形態の変形例による切断器具の作用部の断面図である。
【図１７】本発明の第三の実施形態の他の変形例による切断器具の作用部の横断面図である。
【図１８】波模様を呈する本発明の一実施形態による切断器具の作用部の製造方法を示した説明図である。
【図１９】本発明の一実施形態によるスライサーの作用部を示した断面図である。
【図２０】本発明の一実施形態によるピーラーの作用部を示した断面図である。
【図２１】本発明の他の実施形態によるピーラーの作用部を示した断面図である。
【発明を実施するための形態】
【００２５】
以下に本発明の実施形態の例を、図面を用いて説明する。また、必要に応じて従来技術を示して差異を説明する。
【００２６】
図１は、本実施形態の切断器具の一例としての包丁１を示している。図１（ａ）は包丁１の平面を示し、図１（ｂ）は包丁１の側面を示している。
【００２７】
図２は、包丁１の作用部３の横断面を示している。なお、ここで、横断面とは、作用部の長さ方向に対して直角な断面をいう。
【００２８】
本実施形態の包丁１は、柄２と作用部３を有している。作用部３は、例えば薄い金属片からなる部分を指し、本体部４と肉薄部５を有している。なお、作用部３の材質は金属に限られない。また、図示しないが、作用部３の一部は、中子と呼ばれ、柄２の内部に延在している。
【００２９】
肉薄部５は、本体部４より薄い一様な肉厚を有している。肉薄部５は、作用部３の切断作用部として本体部４の一端縁から突出するように設けられている。すなわち包丁１であれば、肉薄部５は包丁１の側面視（図１（ｂ））の下側に設けられている。
【００３０】
肉薄部５は、作用部３の切断対象を切断する側の端から内側方向に、幅ｗ１の範囲である。肉薄部５は、肉厚が先端に向けて徐々に狭まるのではなく、ほぼ一定になっている部分がある。すなわち、肉薄部５は、断面において略平行な部分がある。
【００３１】
肉薄部５の肉厚は、たとえば、０．１ｍｍ〜０．５ｍｍであり、好ましくは０．１ｍｍ〜０．４ｍｍであり、さらに好ましくは、０．１５ｍｍ〜０．３ｍｍである。肉薄部５の幅は、たとえば、２．５ｍｍ〜２０ｍｍであり、好ましくは３ｍｍ〜１８ｍｍであり、さらに好ましくは４ｍｍ〜１６ｍｍである。本体部４は肉薄部５より厚ければよく、肉厚や幅や形状は限定されないが、肉厚は、たとえば、０．６ｍｍ〜３ｍｍであり。好ましくは０．８ｍｍ〜２．０ｍｍである
また、肉薄部５の肉厚は、本体部４の肉厚に対して、たとえば、０．３〜０．８、好ましくは０．５〜０．６とすることができる。
【００３２】
例えば、野菜を切る場合は、多少厚めで、肉を切る場合は薄い方が良いと言った様に、固形物のやわらかさや、粘りや、粘着料などで異なってくる。また、先端の刃の研ぎ具合や、段差（ギザギザ）の状態によっても異なるものである。
【００３３】
肉薄部５は本体部４の板厚方向の略中心に設けられているのが好ましい。本体部４と肉薄部５の接続部分の形状は限定されないが、肉薄部５が曲線的に厚くなり本体部４に接続するのが好ましい。肉薄部５の切断対象を切断する側の端部の横断面は、一例として矩形になっている。すなわち、刃が形成されていない。なお、肉薄部５の切断対象を切断する側の端部の横断面は矩形に限られず、尖端形状でもよい。ここで、「尖端形状」とは、該端部を尖らせた形状をいい、肉薄部５の端部を面取りした形状を含み、先端が鋭角、直角、鈍角、半円のいずれの場合も含む。刃付けがなされていても良い。ここでの刃付けと刃先は、４５度以下の角度の先端形状を付けたものを言う。
【００３４】
肉薄部５、本体部４は鏡面仕上げでも、サテン仕上げなどでも良い。
【００３５】
図３は、第二の実施形態による切断器具の作用部の横断面図である。なお、以下では、同一または共通する部分には、同一の符号を付して重複する説明を省略する。
【００３６】
この第二の実施形態の作用部３ａは、本体部４ａと肉薄部５ａと中間部６ａを有している。中間部６ａは本体部４ａより薄く形成され、肉薄部５ａより厚く形成されている。本体部４ａと肉薄部５ａと中間部６ａはそれぞれ、一様な肉厚を有しているのが好ましい。
【００３７】
中間部６ａは、肉薄部５ａを支える機能を有している。これにより、肉薄部５ａをさらに薄くすることができる。本実施形態では、本体部４ａの肉厚は、たとえば、１ｍｍ〜３ｍｍ、好ましくは１ｍｍ〜２．５ｍｍである。中間部６ａの肉厚は、たとえば、０．３ｍｍ〜０．７ｍｍ、好ましくは０．３ｍｍ〜０．６ｍｍであり、さらに好ましくは０．３ｍｍ〜０．５ｍｍである。
【００３８】
これに対して、肉薄部５ａの肉厚は、たとえば、０．１ｍｍ〜０．４ｍｍであり、好ましくは、０．１ｍｍ〜０．３ｍｍであり、さらに好ましくは、０．１ｍｍ〜０．２ｍｍである。肉薄部５ａの幅ｗ１は、たとえば、２．５ｍｍ〜１０ｍｍであり、好ましくは２．５ｍｍ〜８ｍｍであり、さらに好ましくは３ｍｍ〜６ｍｍである。
【００３９】
また、中間部６ａの肉厚は、本体部４ａの肉厚に対して、たとえば、０．３〜０．８、好ましくは０．５〜０．６とすることができる。
【００４０】
また、肉薄部５ａの肉厚は、中間部６ａの肉厚に対して、たとえば、０．３〜０．８、好ましくは０．５〜０．６とすることができる。
【００４１】
また、本体部４ａ、中間部６ａは必ずしも平行な板状でなく、テーパーを有していても良いものである。
【００４２】
また、肉薄部５ａの切断対象を切断する側の端部の形状は図３に示すような矩形でもよく、尖端形状でもよい。
【００４３】
図４は、従来のハマグリ刃７の横断面（図４（ａ））と第一の実施形態による作用部３の横断面（図４（ｂ））を比較して示している。
【００４４】
ハマグリ刃７は、刃先８から緩やかな円弧で本体部９に接続した横断面形状を有している。ハマグリ刃７の刃先８の両側の円弧は外側に凸になっている。これに対して作用部３は一様で肉薄な肉薄部５を有し、該肉薄部５がその上端部で肉厚になって本体部４に接続している。なお、図４（ｂ）の例では、肉薄部５の切断対象を切断する側の端部は矩形形状になっているが、尖端形状でもよい。
【００４５】
図５は、従来のハマグリ刃７による切断の作用（図５（ａ））と、作用部３による切断の作用（図５（ｂ））を比較して示している。
【００４６】
図５（ａ）に示すように、ハマグリ刃７は、刃先８で切断対象物１０に切り込んだ後は、接触点１１で切断対象物１０を両側に押し開くようにして切り進む。接触点１１で切断対象物１０を両側に押し開くことにより、切断対象物１０に亀裂点１２が生じる。ハマグリ刃７を推し進めることにより、亀裂点１２が進み、切断対象物１０の切断が進む。
【００４７】
ハマグリ刃７の場合においては、刃先８の両側が円弧状になっており、かつ、外側に凸になっているため、ハマグリ刃７を押す下向きの力に対する抵抗が大きい。また、ハマグリ刃７の接触点１１と亀裂点１２の距離（てこ）が短いため、亀裂を生じさせるために両側に押し開く大きな力が必要となる。結果として、ハマグリ刃７は大きな力で切断する必要がある。
【００４８】
例えばかぼちゃの場合には、刃に力を加えると先に割れが先行してしまい、切断面がきれいな平面として切れないことがある。またこれを避けるために、先端の角度を鋭角にすると刃がこぼれやすくなる。
【００４９】
一方、本実施形態の作用部３の場合は、肉薄部５の切断対象を切断する側の端部で切断対象物１０に切り込んだ後は、接触点１３で切断対象物１０を両側に押し開くことにより、切断対象物１０に亀裂点１４が生じることがあるが、亀裂しようとする範囲が微細なため、実際には亀裂とならずに食材の変形範囲で吸収されきれいな平面として切ることができる。このように、作用部３は肉薄部５が薄いため、切断対象物１０に切り込むのが容易である。
【００５０】
作用部３を推し進めることにより、亀裂点１４が進み、切断対象物１０の切断が進む。
【００５１】
作用部３の場合は、接触点１３と亀裂点１４の距離が長く、てこが長いため、わずかな力で亀裂が進む。また、接触点１３において、作用部３を押す下向きの力に対する上向きの抵抗が少ない。結果として、本実施形態の作用部３は小さな力で切断することができる。
【００５２】
図６は、従来のハマグリ刃７の研磨を示している。
【００５３】
図６（ａ）は使用前のハマグリ刃７を示し、図６（ｂ）は使用後に鈍化したハマグリ刃７を示している。図６（ｃ）はハマグリ刃７の研磨の様子を示している。
【００５４】
図６（ａ）に示すように、使用前ではハマグリ刃７は刃先８が鋭利に尖った形状を有している。しかし、使用することにより、ハマグリ刃７の刃先は鈍化し、図６（ｂ）に示すような円弧形状になってしまう。図６（ｂ）のような状態では、切断対象物に切り込むために必要な力が大きい。また、切り込んだ後も、抵抗を受けて切り進むために大きな力を必要とする。
【００５５】
そこで、例えば図６（ｃ）に示したような鼓形状の研磨器具１５で、鈍化した刃先形状を元の刃先形状に研磨する。図６（ｃ）に示すように、鈍化した刃先を元のハマグリ刃７の刃先形状に研磨する場合、削り落とす切削部分１６が大きい。
【００５６】
図７は、本実施形態の作用部３の研磨を示している。
【００５７】
図７（ａ）は使用前の作用部３を示している。なお、図７（ａ）の例では肉薄部の切断対象を切断する側の端部は尖端形状を有している。図７（ｂ）は使用後に鈍化した作用部３を示している。図７（ｃ）は作用部３の研磨の様子を示している。
【００５８】
図７（ａ）に示すように、使用前では肉薄部５の切断対象を切断する側の端部は尖端形状を有している。しかし、使用することにより、該端部は鈍化し、図７（ｂ）に示すような鈍な形状になっている。
【００５９】
そこで、図７（ｃ）のように、例えば鼓形状の研磨器具１５で鈍化した肉薄部５の切断対象を切断する側の端部の形状を元の形状に研磨する。図７（ｃ）から明らかなように、肉薄部５の切断対象を切断する側の端部を元の尖端形状に研磨する場合、削り落とす切削部分１７が小さい。また、研磨も容易でする。
【００６０】
肉薄部５の切断対象を切断する側の端部が矩形形状の場合には、研磨する必要がなく、ほぼ半永久的に使用することができる。
【００６１】
また、肉薄部５の切断対象を切断する側の端部が矩形形状の場合には、老人や子どもが安全に使用することができる。
【００６２】
図８は、本発明の一実施形態による包丁の側面を示している。
【００６３】
本実施形態の包丁１ａは、柄２と作用部３ｂを有している。作用部３ｂは本体部４ｂと肉薄部５ｂを有している。肉薄部５ｂは好ましくは、肉厚が０．１ｍｍ〜０．５ｍｍであり、幅ｗ１が２．５ｍｍ〜２０ｍｍになっている。
【００６４】
本実施形態の肉薄部５ｂは、作用部３ｂの長さ方向の少なくとも一部の切断対象を切断する側の端部に三角刃１８を有している。三角刃１８は個々が側面視三角形状を有し、連続して複数個設けられている。三角刃１８を有する作用部３ｂは、例えば固めのパンや肉などを切断するのに好適である。
【００６５】
三角刃のピッチは１ｍｍから１０ｍｍ、好ましくは２ｍｍから８ｍｍ、三角刃の刃の深さは、０．５ｍｍから５ｍｍ、好ましくは１ｍｍから４ｍｍである。
【００６６】
ここでは三角刃を示しているが、のこぎり刃のような形状も含むものとする。
【００６７】
図９は、他の実施形態による包丁の側面を示している。
【００６８】
本実施形態の包丁１ｂは、柄２と作用部３ｃを有している。作用部３ｃは本体部４ｃと肉薄部５ｃを有している。肉薄部５ｃは好ましくは、肉厚が０．１ｍｍ〜０．５ｍｍであり、幅ｗ１が２．５ｍｍ〜２０ｍｍになっている。
【００６９】
本実施形態の肉薄部５ｃは、作用部３ｃの長さ方向の少なくとも一部の切断対象を切断する側の端部に波刃１９を有している。波刃１９は個々が側面視曲線形状を有し、連続して複数個設けられている。波刃１９を有する作用部３ｃは、例えばチーズや軟らか目なパンなどを切断するのに好適である。
【００７０】
波刃のピッチは１ｍｍから１５ｍｍ、好ましくは２ｍｍから１２ｍｍ、波刃の刃の深さは０．５ｍｍから５ｍｍ、好ましくは１ｍｍから４ｍｍである。
【００７１】
波刃のピッチを大きくすることで軟らかいパンが切りやすくなる。
【００７２】
ここでは、三角刃や波刃を示しているが、これらの組み合わせでも良く、必ずしも連続していなくともよい。
【００７３】
図１０〜図１２は、本発明の一実施形態による作用部の製作または研磨の工程を示している。
【００７４】
図１０に示す製作または研磨は、作用部３の本体部４と肉薄部５の接続部から、切断対象を切断する側の端部に向かって、グラインダー２０で切削または研磨を行う場合を示している。
【００７５】
この工程は、肉薄部５の幅方向の肉厚を均一に切削または研磨するのに好適である。
【００７６】
図１１に示す製作または研磨は、グラインダー２０により、作用部３の長さ方向に、肉薄部５を切削または研磨する工程を示している。
【００７７】
この工程は、作用部３の長さ方向に肉薄部５の肉厚を均一に切削または研磨するのに好適である。
【００７８】
図１２に示す製作または研磨は、肉薄部５の切断対象を切断する側の端部を切削または研磨する工程を示している。
【００７９】
この工程は、線状に配置した一対のグラインダー２０を使用する。グラインダー２０は、配列方向から見たときに、円周面が交差するように互いに反対方向に傾斜している。作用部３の肉薄部５の端部を両グラインダー２０の円周面に当てるようにして平行移動させる。これにより、肉薄部５の縁部の角が面取りされ、尖端形状に形成される。グラインダー２０の傾斜角を変えることにより、先端を鋭角、直角、鈍角のいずれかにすることができる。肉薄部５の切断対象を切断する側の端部の切削または研磨は削り落とす部分が少ないため、簡単容易に研磨することができる。図１１、図１２ではグラインダー２０を小さめに示しているが大き目なグラインダーとすることで、一気に削り落としても良い。
【００８０】
図１３は、第三の実施形態による切断器具の作用部の横断面図を示している。
【００８１】
本実施形態の作用部３ｄは、その一部が肉薄部５ｄを形成する芯材２１と、本体部４ｄを形成する一対の板材２２を有している。
【００８２】
図１４は、第三実施形態の切断器具の作用部３ｄの製造方法を示している。
【００８３】
図１４に示すように、芯材２１の両側に、肉薄部５ｄが切断作用部として突出するように板材２２を配置する。しかる後に、板材２２を芯材２１に固着させる。固着方法として、圧延、または、加熱して熱間で圧延するクラッドを採用することができる。また、溶着、溶接、スポット溶接、接着の方法を採用してもよい。
【００８４】
なお、図１３，１４では、芯材２１の両側に板材２２を重ねて固着するようにしたが、芯材２１の片側にのみ板材２２を重ねて固着するようにしてもよい。
【００８５】
また、図１３は、本体部４ｄと肉薄部５ｄの接続部において、板材２２の端部は矩形形状としたが、図１４のように板材２２の端部の角を面取りした形状としてもよい。
【００８６】
あるいは、図１５に示すように、本体部４ｄと肉薄部５ｄの接続部において、板材２２の端部を矩形形状とし、隅肉溶接２３を行ってもよい。
【００８７】
図１６は、第三の実施形態の作用部３ｄの変形例である作用部３ｅの断面を示している。図１６（ａ）は作用部３ｅの平面断面図、図１６（ｂ）は作用部３ｅの横断面図を示している。
【００８８】
本実施形態の作用部３ｅは、その一部が肉薄部５ｅを形成する芯材２４の両側に、二層目の板材２５と三層目の板材２６を重ねている。
【００８９】
図１６（ｂ）に明らかに示すように、板材２５と板材２６は、芯材２４の端部が肉薄部５ｅとして突出するように重ねる。すなわち、肉薄部５ｅの幅がｗ１となるように配置する。二層目の板材２５の端部は、三層目の板材２６より突出させることができる。この場合、二層目の板材２５が肉薄部５ｅを支える中間部６ｅとなり、肉薄部５ｅをさらに薄くすることができる。無論、二層目の板材２５の端部を三層目の板材２６の端部に揃えるようにすることもできる。
【００９０】
図１７は、図１６の変形例による切断器具の作用部の横断面図を示している。
【００９１】
図１７に示す作用部３ｆは、芯材２４の両側に、二層目の板材２５と三層目の板材２６を重ねて固着している。芯材２４が突出する部分は肉薄部５ｆとなり、芯材２４と板材２５と板材２６が重なった部分は、本体部４ｆになっている。本実施形態では、本体部４ｆと肉薄部５ｆの接続部２７を、斜めに幅広く削り出している。これにより、板材２５と板材２６の継目が美しい波模様を呈することができる。
【００９２】
なお、芯材２４の側面にさらに多層の板材を重ねて固着させることができる。
【００９３】
また、多層の金属を重ねて、鍛造して木目状の模様を呈するダマスカス鋼としてもよい。
【００９４】
図１８は、波模様を呈する作用部３ｇの製造方法を示している。
【００９５】
本実施形態の作用部３ｇは、芯材２８の両側に、層数を限定されることなく、二層目の板材２９と、三層目の板材３０と、四層目の板材３１を重ねて固着している。芯材２８の端部は突出して肉薄部５ｇを構成している。芯材２８と、二層目の板材２９と、三層目の板材３０と、四層目の板材３１が重なった部分は、作用部３ｇの本体部４ｇを構成している。本体部４ｇと肉薄部５ｇの間の部分は接続部２７ｇを構成している。
【００９６】
本実施形態の作用部３ｇは、芯材２８と、二層目の板材２９と、三層目の板材３０と、四層目の板材３１が重ねた後に、グラインダー２０によって接続部２７ｇを削り落とすようにする。このとき、波模様が出やすいように、接続部２７ｇの幅が広くなるように切削および研磨するのが好ましい。これにより、接続部２７ｇに波模様を呈することができる。
【００９７】
ここまでで表してきたグラインダー２０は、切削や研磨を行なうものであれば他の研削、研磨機で加工したり、エッチングで腐食し薄く成型しても良い。
【００９８】
図１９は、本発明の一実施形態のスライサーを示している。
【００９９】
スライサー３２は、台板３３を有している。台板３３は、排出スリット３４を有している。排出スリット３４の縁部には、作用部３を固定するための凹部３５が設けられている。凹部３５には、作用部３が配置され、本体部４で固定されている。作用部３の肉薄部５は、一部が排出スリット３４に突き出している。作用部３の本体部４の上面は好ましくは、台板３３の上面と整合している。
【０１００】
このような構成のスライサー３２に対して、食材３６を台板３３の上面に接するようにしてスライドさせると、食材３６の一部が作用部３によって薄く削られ、排出スリット３４から図示しない容器に排出される。
【０１０１】
このスライサー３２によれば、作用部３の肉薄部５の先端が摩耗しても、肉薄部５と本体部４の作用によって、いつまでも切れ味を保つことができる。
【０１０２】
図２０は、本発明の一実施形態であるピーラーを示している。
【０１０３】
ピーラー３７は、支持材３８を有している。支持材３８に対して食材３９の送り方向の上流側の上部には、剥き幅を規定する縦刃４０が支持されている。食材３９の送り方向の下流側には作用部３が支持材３８から支持されている。縦刃４０の支持台と作用部３の間には剥かれた薄い食材３９が流れ込む隙間（段差）が設けられている。
【０１０４】
このような構造のピーラー３７によれば、食材３９が送り方向の上流側から送り込まれ、縦刃４０によって剥き幅の切れ目が付けられる。次に、作用部３と縦刃４０の支持台の隙間（段差）の厚さだけ、食材３９の表面が作用部３によって削り取られ、隙間を通って排出される。
【０１０５】
このピーラー３７によっても、作用部３の切れ味が維持され、長期間切れ味が落ちないピーラー３７を得ることができる。
【０１０６】
図２１は、別の形式のピーラーを示している。
【０１０７】
ピーラー４１は、把持部４２と保持部４３を有している。保持部４３は、先端が二股に分かれ、案内板４４と本発明の作用部４５の両端部を支持している。
【０１０８】
案内板４４は野菜等の食材の表面に沿うように曲面になっている。作用部４５は、作用部の長さ方向は波形になっており、上述した作用部３，３ａ，３ｇ，・・・と同様の本体部４６と肉薄部４７を有している。作用部４５も波形があるものの全体として食材の表面に沿うように曲面になっている。案内板４４と作用部４５の間には、剥くべき食材の皮の厚さだけ段差が設けられている。案内板４４と作用部４５は好ましくは両端がある程度回転できるように支持され、ある程度回動できるようになっている。
【０１０９】
このような構造のピーラー４１によれば、把持部４２を把持して、食材の表面に作用部４５を当て、把持部４２の方向に引くことにより、案内板４４と作用部４５の段差の分だけ、食材の表面が剥かれる。
【０１１０】
作用部４５が波形になっているため、食材の表面に波形を付けることができる。
【０１１１】
また、本実施形態によれば、作用部の研磨を不要にすることができるため、特に本実施形態のように研磨が困難な波形の作用部に対して、研磨が必要なく、長期間使用することができるピーラー４１を得ることができる。
【０１１２】
なお、本実施形態の切断器具は、包丁、ナイフ、ピーラー、スライサー等にして使用することができる。上述した切断器具に限られず、種々の調理用切断器具、野菜加工用切断器具として使用することができる。ここで、調理用切断器具、野菜加工用切断器具は、機械的なメカニズムの機械／器具の作用部も含むものとする。
【０１１３】
上記の記載に基づいて、当業者であれば、本発明の追加の効果や種々の変形を想到できるかもしれないが、本発明の態様は、上述した実施形態の例に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１１４】
１、１ａ、１ｂ：包丁
２：柄
３、４５、３ａ、３ｂ、３ｃ、３ｄ、３ｅ、３ｆ、３ｇ：作用部
４、９、４６、４ａ、４ｂ、４ｃ、４ｄ、４ｅ、４ｆ、４ｇ：本体部
５、４７、５ａ、５ｂ、５ｃ、５ｄ、５ｅ、５ｆ、５ｇ：肉薄部
６ａ、６ｅ：中間部
７：ハマグリ刃
８：刃先
１０：切断対象物
１１、１３：接触点
１２、１４：亀裂点
１５：研磨器具
１６、１７：切削部分
１８：三角刃
１９：波刃
２０：グラインダー
２１、２４、２８：芯材
２２、２５、２６、２９、３０、３１：板材
２３：隅肉溶接
２７：接続部
３２：スライサー
３３：台板
３４：排出スリット
３５：凹部
３６、３９：食材
３７、４１：ピーラー
３８：支持材
４０：縦刃
４２：把持部
４３：保持部
４４：案内板
ｗ１：幅
【図１】
2020065873.tif 000003
【図２】
2020065873.tif 000004
【図３】
2020065873.tif 000005
【図４】
2020065873.tif 000006
【図５】
2020065873.tif 000007
【図６】
2020065873.tif 000008
【図７】
2020065873.tif 000009
【図８】
2020065873.tif 000010
【図９】
2020065873.tif 000011
【図１０】
2020065873.tif 000012
【図１１】
2020065873.tif 000013
【図１２】
2020065873.tif 000014
【図１３】
2020065873.tif 000015
【図１４】
2020065873.tif 000016
【図１５】
2020065873.tif 000017
【図１６】
2020065873.tif 000018
【図１７】
2020065873.tif 000019
【図１８】
2020065873.tif 000020
【図１９】
2020065873.tif 000021
【図２０】
2020065873.tif 000022
【図２１】
2020065873.tif 000023
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
切断対象である食材を切断する作用部を備える調理用の切断器具であって、
前記作用部は、本体部と、前記本体部より肉厚が薄い肉薄部とを有し、
前記肉薄部は、幅が２．５ｍｍ〜２０ｍｍであり、肉厚が０．１ｍｍ〜０．５ｍｍであることを特徴とする切断器具。
【請求項２】
切断対象である食材を切断する作用部を備える調理用の切断器具であって、
前記作用部は、本体部と、前記本体部より肉厚が薄い中間部と、前記中間部より肉厚が薄い肉薄部とを有し、
前記中間部は肉厚が０．３ｍｍ〜０．７ｍｍであり、
前記肉薄部は肉厚が０．１ｍｍ〜０．３ｍｍであり、幅が２．５ｍｍ〜１０ｍｍであることを特徴とする切断器具。
【請求項３】
請求項１または２に記載の切断器具であって、
前記肉薄部は、前記本体部の板厚方向の略中心に設けられていることを特徴とする切断器具。
【請求項４】
請求項１〜３のいずれか一項に記載の切断器具であって、
前記肉薄部の長さ方向の少なくとも一部の切断対象を切断する側の端部に波刃または三角刃が設けられていることを特徴とする切断器具。
【請求項５】
請求項１〜３のいずれか一項に記載の切断器具であって、
前記肉薄部の端には、刃が設けられていない、ことを特徴とする切断器具。
【請求項６】
請求項１〜５のいずれか一項に記載の切断器具であって、
前記肉薄部を形成する芯材の少なくとも一つの側に、前記芯材の端部が前記肉薄部として突出するように他の板材を少なくとも一層重ねて固着させたことを特徴とする切断器具。
【請求項７】
請求項６に記載の切断器具であって、
前記肉薄部の芯材と前記他の板材を圧延して固着したことを特徴とする切断器具。
【請求項８】
請求項６に記載の切断器具であって、
前記肉薄部の芯材と前記他の板材を溶着または溶接または接着によって固着したことを特徴とする切断器具。
【請求項９】
請求項６〜８のいずれか一項に記載の切断器具であって、
前記肉薄部の芯材に積層した前記他の板材の端部を切削して波模様を呈するようにしたことを特徴とする切断器具。
【請求項１０】
請求項１〜９のいずれか一項に記載の切断器具であって、
前記肉薄部の切断対象を切断する側の端部の横断面を概略尖端形状に形成したことを特徴とする切断器具。
【請求項１１】
請求項１〜９のいずれか一項に記載の切断器具であって、
前記肉薄部の切断対象を切断する側の端部の横断面を概略矩形に形成したことを特徴とする切断器具。
【請求項１２】
請求項１に記載の切断器具の製造方法であって、
前記作用部となる板材の端部を、肉厚０．１ｍｍ〜０．５ｍｍ、幅２．５ｍｍ〜２０ｍｍの前記肉薄部となるように切削する工程を有することを特徴とする切断器具の製造方法。
【請求項１３】
切断対象である食材を切断する作用部を備える調理用の切断器具の製造方法であって、
前記作用部は、本体部と、前記本体部より肉厚が薄い肉薄部とを有し、
前記肉薄部は、芯材の端部から形成され、
前記本体部は、前記芯材の端部以外の部分と他の板材から形成され、
前記切断器具の製造方法は、
前記芯材の少なくとも一つの側に、前記芯材の前記端部が前記肉薄部として突出するように前記他の板材を少なくとも一層重ねる工程と、
前記芯材と前記他の板材を固着する工程を有することを特徴とする切断器具の製造方法。
【請求項１４】
請求項１〜１１のいずれか一項に記載の切断器具であって、
包丁、ナイフ、ピーラー、スライサー、または野菜加工用切断器具であることを特徴とする切断器具。